(57)【要約】【課題】電線を束ねた導電路に対し電装部品を確実に固定する。【解決手段】ワイヤーハーネスＷａは、複数本の電線１１を束ねた導電路１０と、導電路１０の外周に沿うように配されたジョイントコネクタ３０（電装部品）と、導電路１０とジョイントコネクタ３０を包囲するように配され、導電路１０とジョイントコネクタ３０に対し両者を接近させる方向の締付力を付与する熱収縮チューブ６０とを備えて構成されている。【選択図】図１
2014238973.tif 000002
【特許請求の範囲】
【請求項１】
複数本の電線を束ねた導電路と、
前記導電路の外周に沿うように配された電装部品と、
前記導電路と前記電装部品を包囲するように配され、前記導電路と前記電装部品に対し両者を接近させる方向の締付力を付与する熱収縮チューブとを備えていることを特徴とするワイヤーハーネス。
【請求項２】
前記電装部品が、ケース内にノイズフィルタを収容した形態であることを特徴とする請求項１記載のワイヤーハーネス。
【請求項３】
前記複数本の電線のうち前記導電路の外部へ引き出された分岐線に端子金具を接続し、前記端子金具をハウジングの端子収容室内に収容した形態であって、前記電装部品に嵌合されるコネクタを備えており、
前記熱収縮チューブが、前記ハウジングにおける前記分岐線の導出面と前記導電路の外周面とに臨む空間を液密状に封止するように配されていることを特徴とする請求項１又は請求項２記載のワイヤーハーネス。
【請求項４】
前記熱収縮チューブの内周にシール剤が塗布されていることを特徴とする請求項３記載のワイヤーハーネス。
【発明の詳細な説明】
【技術分野】
【０００１】
本発明は、ワイヤーハーネスに関するものである。
【背景技術】
【０００２】
特許文献１には、電線束に対し、複数の凹凸部を有するベルト部材を用いて電装部品を取り付けたワイヤーハーネスが記載されている。電装部品には、ベルト部材の一端が固着されている。ベルト部材を電線束に巻き付け、凹凸部をベルト保持部に引っ掛けると、電線束と電装部品が固定される。ワイヤーハーネスにおいて電線束に取り付けられる電装部品としては、ハウジング内にノイズフィルタを収容した形態のものもある。
【先行技術文献】
【特許文献】
【０００３】
【特許文献１】特開２０１３−０８４４０８号公報
【発明の概要】
【発明が解決しようとする課題】
【０００４】
ベルト部材の凹凸部は、無段階ではなく、多段階で電線束を締め付けるようになっているため、電線束と電装部品との間でガタ付きが生じる虞がある。
本発明は上記のような事情に基づいて完成されたものであって、電線を束ねた導電路に対し電装部品を確実に固定することを目的とする。
【課題を解決するための手段】
【０００５】
本発明のワイヤーハーネスは、
複数本の電線を束ねた導電路と、
前記導電路の外周に沿うように配された電装部品と、
前記導電路と前記電装部品を包囲するように配され、前記導電路と前記電装部品に対し両者を接近させる方向の締付力を付与する熱収縮チューブとを備えているところに特徴を有する。
【発明の効果】
【０００６】
導電路と電装部品を包囲するように配された熱収縮チューブは、導電路と電装部品に対し両者を接近させる方向の締付力を付与するので、この締付力によって、電装部品は導電路に固定される。加熱された熱収縮チューブは、導電路と電装部品の大きさに合わせて熱収縮するので、導電路と電装部品との間にガタ付きが生じることはない。
【図面の簡単な説明】
【０００７】
【図１】実施例１のワイヤーハーネスの一部切欠側面図
【図２】ワイヤーハーネスの製造工程をあらわす一部切側面図
【図３】図１のＸ−Ｘ線断面図
【図４】ジョイントコネクタの平断面図
【図５】ジョイントコネクタの側断面図
【図６】ジョイント端子の斜視図
【図７】実施例２のワイヤーハーネスの側面図
【発明を実施するための形態】
【０００８】
（１）本発明のワイヤーハーネスは、
前記電装部品がケース内にノイズフィルタを収容した形態であってもよい。
この構成によれば、ノイズフィルタを備えた電装部品を、導電路にガタ付きなく固定することができる。
【０００９】
（２）本発明のワイヤーハーネスは、
前記複数本の電線のうち前記導電路の外部へ引き出された分岐線に端子金具を接続し、前記端子金具をハウジングの端子収容室内に収容した形態であって、前記電装部品に嵌合されるコネクタを備えており、
前記熱収縮チューブが、前記ハウジングにおける前記分岐線の導出面と前記導電路の外周面とに臨む空間を液密状に封止するように配されていてもよい。
この構成によれば、ハウジングにおける分岐線の導出面と導電路の外周面とに臨む空間が熱収縮チューブによって液密状に封止されるので、分岐線の外周と端子収容室の内周との隙間からハウジング内に浸水することを防止できる。
【００１０】
（３）本発明のワイヤーハーネスは、前記（２）において、
前記熱収縮チューブの内周にシール剤が塗布されていてもよい。
この構成によれば、ハウジングにおける分岐線の導出面と導電路の外周面とに臨む空間を、より確実に、液密状に封止できる。
【００１１】
＜実施例１＞
以下、本発明を具体化した実施例１を図１〜図６を参照して説明する。本実施例１のワイヤーハーネスＷａは、導電路１０と、ハーネス側コネクタ２０（請求項に記載のコネクタ）と、ジョイントコネクタ３０（請求項に記載の電装部品）と、熱収縮チューブ６０とを備えて構成されている。尚、以下の説明において、導電路１０の長さ方向と、熱収縮チューブ６０の軸線方向は、同義で用いる。
【００１２】
図３に示すように、導電路１０は、導体（図示省略）の外周を絶縁被覆（図示省略）で包囲した周知形態の複数本の電線１１を、粘着テープ１３の巻付けにより、全体として略円形をなすように一纏めに束ねたものである。図１，２に示すように、導電路１０を構成する電線１１の一部は、分岐線１２として粘着テープ１３の外部（導電路１０の外周側）へ引き出されている。図２に示すように、これら複数本の分岐線１２の端末部には、夫々、雌形をなす周知形態の端子金具１４が接続されている。
【００１３】
ハーネス側コネクタ２０は、合成樹脂製のハウジング２１と、上記複数の端子金具１４とを備えて構成されている。図１，２に示すように、ハウジング２１の後端面は、分岐線１２をハウジング２１外へ導出させる導出面２２となっている。図２に示すように、ハウジング２１内には、複数の端子収容室２３が上下２段に分かれて形成されている。端子収容室２３の後端は、導出面２２において端子装入口として開口している。各端子収容室２３内には、夫々、後方（図１，２における右方）から端子金具１４が挿入され、周知形態のランス（図示省略）の係止作用により抜止め状態に収容されている。端子金具１４に接続された分岐線１２は、導出面２２からハウジング２１の後方へ導出した状態となっている。
【００１４】
ジョイントコネクタ３０は、合成樹脂製のケース３１と、ケース３１内に収容されてノイズ低減手段として機能するコンデンサ５０（請求項に記載のノイズフィルタ）と、コンデンサ５０を上記端子金具１４に接続するためにケース３１内に組み付けられた上下一対のジョイント端子４０Ａ，４０Ｂとを備えて構成されている。
【００１５】
図４，５に示すように、ケース３１は、第１部品３２と第２部品３３とを組み付けることにより、全体としてブロック状に構成されている。ケース３１の内部空間は、仕切壁３４によって前後に区画されている。ケース３１のうち仕切壁３４よりも前方の領域は、前後、左右及び上下の各面が塞がれたフィルタ収容室３５となっている。フィルタ収容室３５内には、コンデンサ５０が収容されている。ケース３１のうち仕切壁３４より後方（図４，５における右方）の領域は、ハーネス側コネクタ２０を嵌合させるために後方へ開放されたフード部３６となっている。
【００１６】
図６に示すように、上側に配置される第１ジョイント端子４０Ａは、導電性の金属板をプレスにて所定形状に打ち抜いて形成したものである。第１ジョイント端子４０Ａは、左右方向に細長い第１基板部４１Ａと、第１基板部４１Ａの後縁から左右に並列して櫛歯状に突出する複数の第１タブ部４２Ａとを有している。下側に配置される第２ジョイント端子４０Ｂは、導電性の金属板をプレスにて所定形状に打ち抜き、曲げ加工を施して形成したものである。第２ジョイント端子４０Ｂは、左右方向に細長い第２基板部４１Ｂと、第２基板部４１Ｂの後縁から左右に並列して櫛歯状に突出する複数の第２タブ部４２Ｂとを有している。
【００１７】
第１ジョイント端子４０Ａは、仕切壁３４に対し、その前方から第１タブ部４２Ａを圧入して貫通させた状態でケース３１に組み付けられている。第２ジョイント端子４０Ｂは、仕切壁３４における第１ジョイント端子４０Ａよりも低い位置に対し、その前方から第２タブ部４２Ｂを圧入して貫通させた状態でケース３１に組み付けられている。組付け状態では、第１タブ部４２Ａの先端部と第２タブ部４２Ｂが、フード部３６内に配置され、上下２段に分かれて左右に並列配置されている。また、第１基板部４１Ａと第２基板部４１Ｂは、フィルタ収容室３５内に配置される。
【００１８】
第１ジョイント端子４０Ａには、第１基板部４１Ａの前縁における一方の端部から、第１基板部４１Ａと面一状に（つまり、同じ高さで）前方へ延出する第１接続部４３Ａが形成されている。第２ジョイント端子４０Ｂには、第２基板部４１Ｂの前縁における他方の端部から後方へ段差状に延出する第２接続部４３Ｂが形成されている。第２接続部４３Ｂの延出端部は、第１接続部４３Ａと同じ高さとなっている。第２ジョイント端子４０Ｂには、第に基板部の前端における中央位置から前方へ延出する支持部４４が形成されている。支持部４４の延出端部には、下向きに屈曲した脚部４５が形成され、脚部４５がフィルタ収容室３５の下面壁に支持されている。第１接続部４３Ａと第２接続部４３Ｂと支持部４４は、いずれも、フィルタ収容室３５内に配置されている。
【００１９】
コンデンサ５０は、アルミ電解コンデンサ５０である。図４に示すように、コンデンサ５０は、ブロック状の本体部５１と、本体部５１の前端面から延出して後方へ略Ｕ字形に折り返された形態の左右一対のリード線５２Ａ，５２Ｂとを有する。図５に示すように、本体部５１は支持部４４の上面に載置され、本体部５１の上面にはフィルタ収容室３５の天井面に接するように設けた保持部材５３が弾性的に押圧されている。このように本体部５１を支持部４４と保持部材５３との間で弾性的に挟み付けることにより、コンデンサ５０が、ケース３１に対しガタ付きを生じないように取り付けられている。一方のリード線５２Ａは第１接続部４３Ａの先端部の上面に半田付けによって接続され、他方のリード線５２Ｂは第２接続部４３Ｂの延出端部の上面に半田付けされている。
【００２０】
ジョイントコネクタ３０のフード部３６には、後方からハーネス側コネクタ２０が嵌合される。両コネクタ２０，３０が嵌合した状態では、複数の端子金具１４が、夫々、対応するタブ部４２Ａ，４２Ｂと接続してジョイント端子４０Ａ，４０Ｂにより短絡されるとともに、コンデンサ５０によりノズルが除去又は低減される。また、両コネクタ２０，３０を嵌合した状態では、ハーネス側コネクタ２０の後端部（導出面２２側の端部）がジョイントコネクタ３０のケース３１から前方へ突出した状態となる。そして、分岐線１２は、嵌合状態の両コネクタ２０，３０の前方に配置される。
【００２１】
熱収縮チューブ６０は、ポリオレフィンやフッ化エラストマー等からなり、所定温度に加熱することで径寸法を小さくするように収縮するようになっている。また、熱収縮チューブ６０の内周には接着剤からなるシール剤６１が塗布されている。図３に示すように、熱収縮チューブ６０の熱収縮させる前の内径寸法は、導電路１０の外周にジョイントコネクタ３０を沿わせた状態において、導電路１０とジョイントコネクタ３０を一括して包囲し得るような寸法に設定されている。また、導電路１０が電気自動車やハイブリッドカーに用いられて高圧電流が流れるものである場合には、熱収縮チューブ６０はオレンジ色とする。導電路１０が低圧電流のみを流すものである場合には、熱収縮チューブ６０は、オレンジ色以外の色とする。
また、図１に示すように、熱収縮チューブ６０の軸線方向の寸法は、両コネクタ２０，３０の嵌合状態におけるジョイントコネクタ３０の前端からハーネス側コネクタ２０の後端（導出面２２）までの長さ寸法と、導電路１０の外周のうち分岐線１２の引き出し位置から導出面２２までの長さ寸法とを併せた寸法よりも大きい寸法に設定されている。熱収縮チューブ６０の軸線方向における両端部は、導電路１０の外周のうち、両コネクタ２０，３０及び分岐線１２における導電路１０外への露出部分とは非対応の領域と対応するように配されている。
【００２２】
次に、ワイヤーハーネスＷａの製造工程を説明する。まず、複数本の電線１１のうち分岐線１２に端子金具１４を接続し、その後、端子金具１４をハーネス側コネクタ２０に取り付ける。この後、電線１１を束ねて粘着テープ１３で結束するとともに、分岐線１２を粘着テープ１３の外部へ引き出した状態の導電路１０を作成する（図１を参照）。その後、ハーネス側コネクタ２０とジョイントコネクタ３０を嵌合するとともに、導電路１０を熱収縮チューブ６０に通す。
【００２３】
この後、図１に想像線で示すように、熱収縮チューブ６０を軸線方向に移動させ、嵌合状態の両コネクタ２０，３０の全体と、分岐線１２のうち粘着テープ１３（導電路１０）外の露出配索部分を熱収縮チューブ６０で覆い隠す。また、熱収縮チューブ６０の両端部により、導電路１０の外周のうちジョイントコネクタ３０の前方に隣接する領域と、導電路１０の外周のうち分岐線１２の露出配索部分の後方に隣接する領域とを覆い隠す。
【００２４】
そして、この熱収縮チューブ６０を所定の温度まで加熱することにより縮径変形させる。すると、図１に実線で示すように、熱収縮チューブ６０のうち両端部を除いた領域が、ジョイントコネクタ３０の外周面とハーネス側コネクタ２０の外周面に対して縮径方向の力を付与し、両コネクタ２０，３０を導電路１０の外周に押し付ける。また、分岐線１２の露出配索領域が、導電路１０の外周側へ押圧される。さらに、熱収縮チューブ６０の両端部が、導電路１０の外周に対し全周に亘って連続して密着する。上記の熱収縮チューブ６０の熱収縮による押圧作用及び密着作用により、両コネクタ２０，３０は、導電路１０に対し、軸線方向、周方向及び径方向への相対変位を規制された状態に取り付けられる。
【００２５】
本実施例１のワイヤーハーネスＷａは、ジョイントコネクタ３０を、複数本の電線１１を束ねた導電路１０の外周に沿うように配し、導電路１０に対して確実に固定することを実現したものである。即ち、ワイヤーハーネスＷａは、導電路１０とジョイントコネクタ３０を包囲するように配され、導電路１０とジョイントコネクタ３０に対し両者を接近させる方向の締付力を付与する熱収縮チューブ６０とを備えて構成されている。加熱された熱収縮チューブ６０は、導電路１０とジョイントコネクタ３０の大きさに合わせて熱収縮するので、導電路１０とジョイントコネクタ３０との間にガタ付きが生じることはない。
【００２６】
また、本実施例１のワイヤーハーネスＷａは、導電路１０を構成する複数本の電線１１のうち、導電路１０の外部へ引き出された複数本の分岐線１２に端子金具１４を接続し、これらの端子金具１４、ハーネス側コネクタ２０を構成するハウジング２１の端子収容室２３内に収容している。そして、図１に示すように、熱収縮チューブ６０は、ハーネス側ハウジング２１における分岐線１２の導出面２２と導電路１０の外周面とに臨む空間Ｓを、液密状に封止している。この構成によれば、分岐線１２の外周と端子収容室２３の内周との隙間からハウジング２１内に浸水することを防止できる。特に、本実施例１では、熱収縮チューブ６０の内周にシール剤６１を塗布しているので、ハウジング２１の導出面２２と導電路１０の外周面とに臨む空間Ｓを、より確実に、液密状に封止し、高い防水機能を発揮する。ハーネス側コネクタ２０とジョイントコネクタ３０は、いずれも、非防水タイプのコネクタであるが、本実施例１のワイヤーハーネスＷａは、熱収縮チューブ６０で包囲することによって防水領域でも使用することができる。
【００２７】
＜実施例２＞
次に、本発明を具体化した実施例２を図７を参照して説明する。本実施例２のワイヤーハーネスＷａは、熱収縮チューブ７０を上記実施例１の熱収縮チューブ６０とは異なる構成としたものである。その他の構成については上記実施例１と同じであるため、同じ構成については、同一符号を付し、構造、作用及び効果の説明は省略する。
【００２８】
上記実施例１のワイヤーハーネスＷａでは、熱収縮チューブ６０の軸線方向の両端部が、導電路１０の外周における両コネクタ２０，３０と非対応の領域に対し全周に亘って密着するようにした。これに対し本実施例２のワイヤーハーネスＷｂでは、導電路１０の外周における両コネクタ２０，３０と非対応の領域には密着しない。つまり、本実施例２の熱収縮チューブ７０の軸線方向の長さ寸法は、実施例１の熱収縮チューブ６０の長さ寸法よりも小さく、ジョイントコネクタ３０の長さ寸法よりも少し小さい寸法に設定されている。
【００２９】
したがって、本実施例２では、熱収縮チューブ７０は、ジョイントコネクタ３０の外周には密着するが、ハーネス側コネクタ２０と分岐線１２には密着しない。これにより、ジョイントコネクタ３０を導電路１０に固定した状態で、ジョイントコネクタ３０に対するハーネス側コネクタ２０の嵌合・離脱を行うことが可能となっている。また、ハーネス側コネクタ２０の導出面２２は、熱収縮チューブ７０によっては防水されないので、必要があれば、別途、防水手段を講じればよい。
【００３０】
＜他の実施例＞
本発明は上記記述及び図面によって説明した実施例に限定されるものではなく、例えば次のような実施例も本発明の技術的範囲に含まれる。
（１）上記実施例１では、内周にシール剤が塗布された熱収縮チューブを用いた、内周にシール剤が塗布されていない熱収縮チューブを用いてもよい。
（２）上記実施例１，２では、分岐線に接続した端子金具をハウジング内に収容した形態のコネクタを有するワイヤーハーネスについて説明したが、本発明は、このようなコネクタを有しないワイヤーハーネスにも適用できる。
（３）上記実施例１，２では、ノイズフィルタがコンデンサであったが、ノイズフィルタは、フェライトコアやコイルであってもよい。
（４）上記実施例１，２では、電装部品がノイズフィルタを備えたものであったが、電装部品は、ノイズフィルタを設けないものであってもよい。
（５）上記実施例１，２では、電装部品が、コネクタ（端子金具）を介して導電路の電線（分岐線）に接続されるものであったが、電装部品は、電線に直接、固着された部品を収容したものであってもよい。
（６）上記実施例１，２では、電装部品がジョイントコネクタであったが、電装部品は、ジョイントコネクタとは異なる機能を有する部品であってもよい。
【符号の説明】
【００３１】
Ｗａ…ワイヤーハーネス
Ｓ…導出面と導電路の外周面とに臨む空間
１０…導電路
１１…電線
１２…分岐線
１４…端子金具
２０…ハーネス側コネクタ（コネクタ）
２１…ハウジング
２２…導出面
２３…端子収容室
３０…ジョイントコネクタ（電装部品）
３１…ケース
５０…コンデンサ（ノイズフィルタ）
６０…熱収縮チューブ
６１…シール剤
Ｗｂ…ワイヤーハーネス
７０…熱収縮チューブ
【図１】
2014238973.tif 000003
【図２】
2014238973.tif 000004
【図３】
2014238973.tif 000005
【図４】
2014238973.tif 000006
【図５】
2014238973.tif 000007
【図６】
2014238973.tif 000008
【図７】
2014238973.tif 000009